(57)【特許請求の範囲】
【請求項１】
圧搾可能な胴部５より口頚部７を起立するとともに、内部中央に突出部11を突設した凹部10を、胴部５に凹設してなる容器体２と、口頚部７に嵌着した注出ノズル12と、容器体胴部外周に嵌合させた剛性を有する押釦付きの装着筒３とを備え、前記押釦４は、装着筒３上端縁に薄肉ヒンジ17を介して上端縁を連結して装着筒外方を内外方向揺動可能に設けた押圧板15と、該押圧板内面より突設するとともに、装着筒３に穿設した透孔14に抜け出しを防止して挿通し、且つ、突出部11外面に先端を当接した押圧突起16とを備え、押圧板の押し込みが可能に設けてなることを特徴とする液体注出容器。
【請求項２】
圧搾可能な胴部５より口頚部７を起立した容器体２と、口頚部７に嵌着した注出ノズル12と、容器体胴部外周に嵌合させた剛性を有する押釦付きの装着筒３とを備え、前記押釦４は、装着筒３上部に固定した基板23下縁に薄肉ヒンジ17を介して上縁を連結して装着筒外方を内外方向揺動可能に設けた押圧板15と、該押圧板内面より突設するとともに、装着筒３に穿設した透孔14を介して容器体胴部外面に先端を当接した押圧突起16とを備え、押圧板の押し込みが可能に設けてなることを特徴とする液体注出容器。
【発明の詳細な説明】
【０００１】
【発明の属する技術分野】
本発明は液体注出容器に関し、詳しくは、略定量の液の注出を行える液体注出容器に関する。
【０００２】
【従来の技術】
液体注出容器として、圧搾可能な胴部より口頚部を起立した容器体と、口頚部に嵌着した注出ノズルと備え、胴部を圧搾することにより収納液をノズルから注出する如く構成したものが知られている。従来のこの種容器では、胴部の圧搾の程度は手加減で行っているため、注出の都度注出量が異なり、収納液の種類，用途によっては不都合である。
【０００３】
【発明が解決しようとする課題】
本発明は簡単な操作で略定量の液を常時注出でき、構造も簡単で、容易に製造できる液体注出容器を提案するものである。
【０００４】
【課題を解決するための手段】
上記課題を解決するための第１の手段として、圧搾可能な胴部５より口頚部７を起立した容器体２と、口頚部７に嵌着した注出ノズル12と、容器体胴部５外周に嵌合させた剛性を有する押釦付きの装着筒３とを備え、前記押釦４は、装着筒３外側を内外方向揺動可能に設けた押圧板15と、該押圧板内面より突設するとともに、装着筒に設けた透孔14を介して先端を胴部５外面に当接させた押圧突起16とを備え、押圧板の押し込みが可能に設けた。
【０００５】
第２の手段として、圧搾可能な胴部５より口頚部７を起立するとともに、内部中央に突出部11を突設した凹部10を、胴部５に凹設してなる容器体２と、口頚部７に嵌着した注出ノズル12と、容器体胴部外周に嵌合させた剛性を有する押釦付きの装着筒３とを備え、前記押釦４は、装着筒３上端縁に薄肉ヒンジ17を介して上端縁を連結して装着筒外方を内外方向揺動可能に設けた押圧板15と、該押圧板内面より突設するとともに、装着筒３に穿設した透孔14に抜け出しを防止して挿通し、且つ、突出部11外面に先端を当接した押圧突起16とを備え、押圧板の押し込みが可能に設けた。
構成した。
【０００６】
第３の手段として、圧搾可能な胴部５より口頚部７を起立した容器体２と、口頚部７に嵌着した注出ノズル12と、容器体胴部外周に嵌合させた剛性を有する押釦付きの装着筒３とを備え、前記押釦４は、装着筒３上部に固定した基板23下縁に薄肉ヒンジ17を介して上縁を連結して装着筒外方を内外方向揺動可能に設けた押圧板15と、該押圧板内面より突設するとともに、装着筒３に穿設した透孔14を介して容器体胴部外面に先端を当接した押圧突起16とを備え、押圧板の押し込みが可能に設けた。
【０００７】
【発明の実施の形態】
以下、本発明の実施例の形態を図面を参照して説明する。
【０００８】
図面は本発明の一実施例を示し、本発明の液体注出容器１は、容器体２と、装着筒３と、押釦４とを備えている。
【０００９】
容器体２は、筒状の胴部より口頚部を起立したものが使用される。また、胴部はその材質，厚み等を選択することにより弾性的な圧搾が可能に構成している。図示例では、楕円筒状の胴部５上端縁より肩部６を介して口頚部７起立している。また、胴部５の上部に下向き段部８を形成するとともに、該段部８下方に係止突条９を周設している。更に胴部５前面には特殊形状の凹部10を形成している。該凹部10は内部中央に円錐台形状の突出部11を突出した正面視円形状をなしており、中央の突出部11を押釦４の後述する押圧突起により押し込む如く構成している。
【００１０】
容器体２の口頚部７上端には注出ノズル12を嵌着している。注出ノズル12は従来のこの種容器に使用されるものであれば使用可能であり、図示例では、口頚部７内周上端に嵌着したシール筒（図示せず）を、口頚部上面に周縁部を載置させた頂板12a 裏面より垂設し、また、頂板12a 中央に基端を開口した、上方に行くに従ってすぼまるテーパ状をなす注出筒12b を立設して構成している。
【００１１】
装着筒３は、押釦４を容器体２に装着させるためのものであり、また、その材質や厚み等を選択することにより剛性を付与したもので、圧搾可能で変形し易い容器体胴部５の補強を兼ねている。また、装着筒３は図１に示す実施例の如く上下端を開口したものであっても、或いは図８の実施例に示す如く、有底のものであっても良く、押釦４により変形させる胴部５部分を含んで嵌合させる如く構成すれば良い。図１の実施例では、下向き段部８下面より凹部10下方に至る縦幅を有する楕円筒状の装着筒３を嵌着させており、上部内周に周設した係止凹溝13に係止突条９を嵌合させて抜け出しの防止を図っている。また、前面中央部の突出部11対応位置には横長四角形状の透孔14を穿設している。該透孔14は、その上下辺が外方へ広がるテーパ状に形成しており、押釦４の後述する押圧突起が容易に係合できる如く構成している。
【００１２】
押釦４は、容器体胴部５を圧搾して液を注出させるためのものであり、図１に示す実施例の如く、装着筒３と一体に形成しても、或いは、図８の実施例の如く、装着筒３と別体に形成しても良い。また、装着筒３外側を内外方向揺動可能に設けた押圧板15と、該押圧板内面より突設するとともに、装着筒３に設けた透孔14を介して先端を容器体胴部５外面に当接させた押圧突起16を備えており、押圧板の押し込みが可能に設けている。
【００１３】
図１に示す実施例では装着筒３と押釦４とを一体に形成しており、装着筒３の前部上端縁に薄肉ヒンジ17を介して上端縁を連結して内外方向揺動可能に押圧板15を設け、該押圧板内面下部中央所定位置より後方へ平板状の押圧突起16を突設している。押圧突起16の突出幅を必要幅として先端を容器体の突出部11外面に当接することにより、押圧板15を装着筒３表面から所定幅離隔させて傾斜状態で維持し、その押し込みを可能に構成している。また、押圧突起16の先端部下面には係合突起18を設け、透孔14下縁の装着筒裏面に係合させて抜け出し防止を図っている。本実施例の如く装着筒３と押釦４とを一体に形成する場合には、例えば、図４乃至図６に示す如く押圧板15を水平状態で形成するとよい。
【００１４】
上記の如く構成した液体注出容器１は、容器体を持って押圧板15を押し込めば押圧突起16が容器体胴部５を押し込み、注出ノズル12先端より液の注出が行える。この際押圧板15の回動幅が略一定であるため押圧突起16により押し込み変形させた胴部５の変形量が常時略一定となり、その結果、注出液の量は略一定量となる。押圧板15の押圧を解除すれば、容器体胴部５の弾性復元力により押圧突起16が押し戻され、押釦４は元の状態に戻る。
【００１５】
図８乃至図14は本発明の他の実施例を示すもので、本実施例では、図１の実施例と同様に楕円筒状の胴部５上端縁より肩部６を介して口頚部７を起立しており、胴部５の上部に下向き段部８を形成している。また、下向き段部８下方に更に第２下向き段部19を形成してその下方の容器体胴部５を縮径しており、この縮径部分の下部には係止突条９を突周設している。尚、第２下向き段部19は、後述する基板の嵌合筒部を嵌合させるために、図９に示す如くその容器体前部に於いて段差を設けている。
【００１６】
装着筒３は底壁20を備えた上端開口の有底横長楕円筒状で、上面を下向き段部８下面に当接させるとともに、内周下部に突周設した係合突条21を容器体の係止突条９上面に下方より乗り越え係合させて装着している。装着筒３の前部中央には縦長四角形状の透孔14を穿設し、該透孔上方に押釦４を嵌合させるための嵌合孔22を穿設している。
【００１７】
押釦４は、装着筒３に嵌着固定した基板23下端縁に薄肉ヒンジ17を介して内外方向揺動可能に押圧板15を設けている。基板23は、その裏面から突設した円形の装着筒部24を装着筒３の上記嵌合孔22に嵌合固定し、外周先端部に突設した係合突条21を嵌合孔22外周縁部の装着筒裏面に係合させて抜け出しの防止を図っている。
【００１８】
押圧突起16は、押圧板15の裏面中央上部より前記透孔14を介して突設した側面視三角形状をなすとともに、その先端部を容器体胴部に当接させて押圧板15を押し込み可能な傾斜位置に維持させている。また、押圧板15の左右両辺及び下辺に亘って枠壁25を形成している。
【００１９】
尚、本実施例の容器の使用方は実質的に図１の実施例と同様であるため説明を省く。また、上記各実施例に於いて、各部材は合成樹脂により形成すると良い。
【００２０】
【発明の効果】
以上説明した如く本発明の液体注出容器は、押圧板を押し込むという簡単な操作で略定量の液を常時注出できる便利がある。また、容器体に押釦付きの装着筒を嵌着させるだけでの構成であるため、構造も簡単で、組み立ても容易に行える利点を兼ね備えている。
【００２１】
また、第２の手段の液体注出容器は、装着筒と押釦とを一体に形成しているためその分製造が容易となるとともに、突出部を突設した凹部を備えているため、胴部の押圧を比較的幅広の面積で押し込める利点がある。また、押圧突起を透孔に抜け出しを防止して挿通しているため、押圧板がぶらぶらする等の不都合を生じることもない。
【００２２】
また、第３手段の液体注出容器は、装着筒と押釦とが別体に形成されているため、それぞれの特徴に合った材質を選択することができる。例えば、装着筒には剛性の大きい材質を、薄肉ヒンジを有する押釦には耐屈曲性に優れた材質を選択することができる。
【図面の簡単な説明】
【図１】本発明の一実施例を示す一部切欠側面図である。
【図２】同実施例の容器体の正面図である。
【図３】同実施例の容器体の平面図である。
【図４】同実施例の装着筒及び押釦の形成時の正面図である。
【図５】同実施例の装着筒及び押釦の形成時の縦断面図である。
【図６】同実施例の装着筒及び押釦の形成時の平面図である。
【図７】同実施例の使用状態を示す一部切欠側面図である。
【図８】本発明の他の実施例を示す一部切欠側面図である。
【図９】同実施例の一部切欠正面図である。
【図１０】同実施例の平面図である。
【図１１】同実施例の装着筒の正面図である。
【図１２】同実施例の押釦の正面図である。
【図１３】同実施例の押釦の背面図である。
【図１４】同実施例の使用状態を示す一部切欠側面図である。
【符号の説明】
２…容器体，３…装着筒，４…押釦，５…胴部，７…口頚部，10…凹部，
11…突出部，12…注出ノズル，14…透孔，15…押圧板，16…押圧突起，
17…薄肉ヒンジ，23…基板
【図１】
0003783840.tif 000002
【図２】
0003783840.tif 000003
【図３】
0003783840.tif 000004
【図４】
0003783840.tif 000005
【図５】
0003783840.tif 000006
【図６】
0003783840.tif 000007
【図７】
0003783840.tif 000008
【図８】
0003783840.tif 000009
【図９】
0003783840.tif 000010
【図１０】
0003783840.tif 000011
【図１１】
0003783840.tif 000012
【図１２】
0003783840.tif 000013
【図１３】
0003783840.tif 000014
【図１４】
0003783840.tif 000015